(57)【要約】【課題】  ハンドル軸内へのケーブルの挿通作業を容易にし、ハンドル作業中にケーブルが損傷或いは断線するのを防止する。【解決手段】  本発明は、遊技盤６の前面側に形成された遊技領域１１内に遊技球を発射させるための弾球遊技機１の打球発射装置２１であって、基体１４に貫設可能なハンドル軸２５と、ハンドル軸２５の前端部に形成され、打球発射用の電子部品３７が内蔵されたグリップ部２６とから成る発射ハンドル１５と、ケーブル４０を介して電子部品３７に接続される打球発射用中継端子板２２とを備えており、ハンドル軸２５には、ケーブル４０を集合させるための配線集合フック６７が設けられていることを特徴とする。【選択図】  図９
2005342151.tif 000002
【特許請求の範囲】
【請求項１】
遊技盤の前面側に形成された遊技領域内に遊技球を発射させるための弾球遊技機の打球発射装置であって、
基体に貫設可能なハンドル軸と、該ハンドル軸の前端部に形成され、打球発射用の電子部品が内蔵されたグリップ部とから成る発射ハンドルと、
ケーブルを介して前記電子部品に接続される打球発射用中継端子板と、
を備えており、前記ハンドル軸には、前記ケーブルを集合させるための配線集合フックが設けられていることを特徴とする弾球遊技機の打球発射装置。
【請求項２】
遊技盤の前面側に形成された遊技領域内に遊技球を発射させるための弾球遊技機の打球発射装置であって、
基体に貫設可能なハンドル軸と、該ハンドル軸の前端部に形成され、打球発射用の電子部品が内蔵されたグリップ部とから成る発射ハンドルと、
ケーブルを介して前記電子部品に接続される打球発射用中継端子板と、
を備えており、前記ハンドル軸は、軸方向に沿って分割された複数のケーシング部材から構成されていることを特徴とする弾球遊技機の打球発射装置。
【発明の詳細な説明】
【技術分野】
【０００１】
本発明は、パチンコ遊技機等の弾球遊技機において、遊技領域内に遊技球を発射させるための打球発射装置に関する。
【背景技術】
【０００２】
従来、パチンコ遊技機に代表される弾球遊技機には、遊技盤の前面側の遊技領域に遊技球を発射させるための打球発射装置が設けられており、この打球発射装置には、遊技機の前面側下部において前方に突出するように発射ハンドルが設けられている。この発射ハンドルは、前枠若しくは球皿の当て板に形成されたハンドル軸挿通部に挿通した状態でビス止めされる円筒形状のハンドル軸と、該ハンドル軸の前端部に設けられるグリップ部とから概略構成されており、グリップ部には、ボリュームスイッチや発射停止スイッチ等の電子部品が内蔵されている。
【０００３】
さらに、打球発射装置には、遊技球を発射させる打球杆（ハンマー）の駆動源となる打球駆動部や打球発射用の中継端子板が設けられており、この中継端子板と前記電子部品とはコネクタケーブルを介して接続され、このコネクタケーブルはハンドル軸内を通って配線されるようになっている。そして、遊技者が発射ハンドルのグリップ部を回動させると、打球駆動部により打球杆（ハンマー）が電気的に駆動され、球皿から供給された遊技球が遊技領域内に発射されるようになっている（例えば、特許文献１参照）。
【特許文献１】特開２００２−２５３７５６号公報
【発明の開示】
【発明が解決しようとする課題】
【０００４】
しかしながら、上記した従来の弾球遊技機の打球発射装置では、その組み付け時に、円筒形状のハンドル軸内にコネクタケーブルを挿通する必要があるため、その作業に手間が掛かるといった問題があった。
【０００５】
また、ハンドル軸は、内部にコネクタケーブルを挿通させた状態でハンドル軸挿通部に挿通され、前枠や球皿の当て板に取り付けられるようになっているため、ハンドル軸の後端から飛び出したコネクタケーブルが、ハンドル軸の取付作業中にハンドル軸挿通部とハンドル軸との間に挟まれ、損傷或いは断線するおそれがあるといった問題もあった。
【０００６】
本発明は、上記した課題を解決すべくなされたものであり、ハンドル軸内へのケーブルの挿通作業を容易にし、ハンドル作業中にケーブルが損傷或いは断線するおそれのない弾球遊技機の打球発射装置を提供しようとするものである。
【課題を解決するための手段】
【０００７】
本発明は、遊技盤６の前面側に形成された遊技領域１１内に遊技球を発射させるための弾球遊技機１の打球発射装置２１であって、基体１４に貫設可能なハンドル軸２５と、ハンドル軸２５の前端部に形成され、打球発射用の電子部品３７が内蔵されたグリップ部２６とから成る発射ハンドル１５と、ケーブル４０を介して電子部品３７に接続される打球発射用中継端子板２２とを備えており、ハンドル軸２５には、ケーブル４０を集合させるための配線集合フック６７が設けられていることを特徴とする。
【０００８】
また、本発明は、遊技盤６の前面側に形成された遊技領域１内に遊技球を発射させるための弾球遊技機１の打球発射装置２１であって、基体１４に貫設可能なハンドル軸２５と、ハンドル軸２５の前端部に形成され、打球発射用の電子部品３７が内蔵されたグリップ部２６とから成る発射ハンドル１５と、ケーブル４０を介して電子部品３７に接続される打球発射用中継端子板２２とを備えており、ハンドル軸１５は、軸方向に沿って分割された複数のケーシング部材６１，６２から構成されていることを特徴とする。
【発明の効果】
【０００９】
本発明によれば、配線集合フックにケーブルが集合されるようになっているため、ハンドル軸を基体に取り付ける時に、コネクタケーブルが基体とハンドル軸との間に挟まれ、損傷或いは断線するのを防止することができる。
【００１０】
また、ハンドル軸は複数のケーシング部材により構成されているため、ハンドル軸にケーブルを挿通する作業を容易に行うことができるようになる。
【発明を実施するための最良の形態】
【００１１】
以下、図面を参照しつつ、本発明の実施の形態について説明する。なお、以下の説明では、本発明をパチンコ遊技機に適用した場合について例示して説明する。
【００１２】
先ず、図１を参照しつつ、パチンコ遊技機の概略構成について説明する。ここで、図１はガラス扉及び球皿を開放した状態におけるパチンコ遊技機を示す正面図、図２はパチンコ遊技機の背面図である。
【００１３】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。そして、前枠３には、遊技盤６が収容されており、遊技盤６の前面側には、画像表示装置の表示部７、中央飾り８、始動入賞口９、大入賞口１０等の各種遊技部品がそれぞれ配設され、遊技領域１１が形成されている。
【００１４】
また、前枠３の正面側には、ガラス扉１２及び球皿１３が開閉可能且つ着脱可能に取り付けられており、それらは施錠装置５及び球皿施錠装置（図示せず）により閉鎖状態に保持されるようになっている。そして、球皿１３の基体となる当て板１４（図１１参照）の正面右側下部には発射ハンドル１５が設けられており、発射ハンドル１５を正面視時計回りに回転させることにより、球皿１３から供給された遊技球が遊技領域１１に発射されるようになっている。さらに、前枠３の下部領域には遊技補助盤１６が形成されており、この遊技補助盤１６の中央部にスピーカ１７が配設され、スピーカ１７の正面視右側に球送り装置２４が配設されている。
【００１５】
一方、前枠３の背面側には裏セット盤９１が複数（図２では５個）のレバー９２により着脱可能に設けられている。そして、裏セット盤９１の各部には、遊技島の球貯留装置（図示せず）からの予備賞球を貯留する貯留タンク９３、貯留タンク９３内に貯留された予備賞球を整列させて流下させる予備賞球案内流路９４、球圧を軽減して予備賞球を下方に流下させるカーブレール９５、賞球の払い出し処理を行う球払出装置９６、球払出装置９６から払い出された賞球を球皿１３に導く賞球排出経路９７、各種制御装置及び電子部品に電力を供給する電源装置９８、パチンコ遊技機１の作動を統括的に制御する主制御装置９９、画像表示装置の裏側にい位置して画像表示、効果音等の演出、効果ランプ等の表示制御を行うサブ制御装置１００、球払出装置９６を制御する払出制御装置１０１、発射強度や発射タイミングを制御する発射用制御装置１０２、サブ中継端子基板１０３等がそれぞれ配設されている。
【００１６】
次に、図１〜図１２を参照しつつ、本発明の実施の形態に係るパチンコ遊技機の打球発射装置について説明する。ここで、図３は本実施の形態に係るパチンコ遊技機の打球発射装置のハンドル軸を球皿１３の当て板１４に取り付けた状態を示す背面図、図４は打球発射装置のハンドル軸を球皿１３の当て板１４に取り付けた状態を拡大して示す背面図、図５は打球発射装置を示す球皿１３の側面図、図６は打球発射装置の発射ハンドルを示す分解斜視図、図７はキャップ体を外した状態の発射ハンドルを示す正面図、図８は中継端子板を取り付ける前の状態の発射ハンドルを示す背面図、図９は中継端子板を取り付けた状態の発射ハンドルを示す背面図、図１０はハンドル軸において切断した発射ハンドルを示す背面側断面図、図１１は発射ハンドルを示す側断面図、図１２は発射ハンドルのハンドル軸の下側ケーシング部材を示す平面図である。
【００１７】
この打球発射装置２１は、発射ハンドル１５と、発射ハンドル１５の後端に取り付けられる中継端子板２２と、当て板１４の後面に沿って設けられる板金２３と、ロータリーソレノイド又は直線式ソレノイド等の駆動源と打球杵（ハンマー）８４とから成る打球駆動部８５と、打球駆動部８５により発射された遊技球を遊技領域１１内に導く発射レール８６と、発射レール８６の下端の所定位置に遊技球を順次供給する球送り装置（整流器）２４とを備えており、さらに、発射ハンドル１５は、当て板１４に貫設可能なハンドル軸２５と、ハンドル軸２５の前端部に形成されたグリップ部２６とから構成されている。
【００１８】
当て板１４には、円柱中空状に形成されたハンドル軸挿通部２０が形成されており、ハンドル軸挿通部２０の内面にはガイド凸部８３（図１１参照）が軸方向に渡って形成されている。また、当て板１４の後面には、板金取付部１９が設けられており、板金取付部１９に後方からネジを螺入することにより板金２３が当て板１４に固定されるようになっている。
【００１９】
図６によく示されているように、グリップ部２６は、ハンドル軸２５の前端部に固定される椀状のグリップベース２７と、グリップベース２７の前端に回動可能に支持された扁平な略円筒状の回動レバー２８と、回動レバー２８の前端を閉塞するように固定された椀状のキャップ体２９とを備えている。
【００２０】
グリップベース２７の前端外周部には、嵌合部３０が前方に延出して形成されており、その嵌合部３０には切欠部３１が形成されている。グリップベース２７の内部には円筒状の３本の支軸３２ａ，３２ｂ，３２ｃが前方に突設され、このうちの隣接する支軸３２ｂ，３２ｃの間にはバネ支柱３３が前方に突設されている。また、グリップベース２７の内部には、回動レバー２８の回動角度を検出する可変抵抗器（ポテンショメータ）が設けられ、この可変抵抗器から前方に突出する検出軸に２本の連結ピン３６ａ，３６ｂを有する連結レバーが固定されている。さらに、グリップベース２７の内部には、前記打球駆動部の作動をオンオフするための作動スイッチ３７が取り付けられていると共にこの作動スイッチ３７の近傍に発射停止ボタン３８が揺動可能に設けられており、この発射停止ボタン３８のボタン操作部３９は切欠部３１からグリップベース２７の外方に突出している。さらにまた、グリップベース２７の内部には、タッチ検出装置４１の検出回路基板４２が取り付けられており、これにより遊技者が回動レバー２８に接触しているか否かを検出できるようになっている。そして、作動スイッチ３７等の電子部品にはコネクタケーブル４０（図５参照）が接続され、コネクタケーブル４０は中継端子板２２に接続されるようになっている。さらに、中継端子板２２には別のコネクタケーブル８１（図５参照）が接続されており、このコネクタケーブル８１は発射用制御装置１０２にコネクタ接続されるようになっている。また、グリップベース２７の後端部には、後方に延出するグリップ部係合部３４（図１１及び図１２参照）が形成されている。
【００２１】
回動レバー２８の後端外周部には、グリップベース２７の嵌合部３０に嵌合可能な円筒状の周壁部４３が形成されており、一方、回動レバー２８の前端外周部には、嵌合部５９が前方に延出して形成されている。また、回動レバー２８の外面には、略三角形状の第１〜第３指掛け部４４ａ，４４ｂ，４４ｃが外方に突出して形成されており、第１指掛け部４４ａは親指により掛止され、第２指掛け部４４ｂは人差し指と中指との間に挟持され、第３指掛け部４４ｃは薬指と小指との間に挟持されるようになっている。
【００２２】
さらに、回動レバー２８の内部には、前後を仕切るプレート部４５が形成され、プレート部４５には外周部に沿って円弧状に上下の回動規制孔４６ｂ，４６ａが穿設されており、下側の回動規制孔４６ａに支軸３２ａが係合し、上側の回動規制孔４６ｂに２本の支軸３２ｂ，３２ｃが係合するようになっている。すなわち、回動レバー２８の回動角度は、図７に示すように、支軸３２ａが下側の回動規制孔４６ａの左端部と係合すると共に支軸３２ｂが上側の回動規制孔４６ｂの右端部と係合する基準角度位置から、支軸３２ａが下側の回動規制孔４６ａの右端部と係合すると共に支軸３２ｃが上側の回動規制孔４６ｂの左端部と係合する最大角度位置までの範囲に規制されるようになっている。
【００２３】
また、プレート部４５には、中央部に円筒状のバネ支軸４７が前方に延出して形成されていると共に、バネ支軸４７に近接してバネフック４８が形成されている。さらに、プレート部４５には、バネ支軸４７から放射状に長孔形状の連結ピン係合孔４９ａ，４９ｂが回動規制孔４６ａ，４６ｂより内側に穿設されており、連結ピン係合孔４９ａ，４９ｂにはそれぞれ連結ピン３６ａ，３６ｂが係脱可能となっている。そして、バネ支軸４７には、捻りバネ５０のコイル部５１が係合し、さらに、捻りバネ５０の一端はバネフック４８に掛止し、他端は上側の回動規制孔４６ｂを挿通したバネ支柱３３の前端部にネジ止めされるようになっている。この結果、回動レバー２８は、捻りバネ５０により、常時、前記基準角度位置の方向に付勢され、前記打球駆動部の作動がオフとなるように保持されている。
【００２４】
キャップ体２９の後端外周部には、回動レバー２８の嵌合部３０に嵌合可能な円筒状の周壁部５２が形成されており、キャップ体２９の内部には、支軸３２ａ，３２ｂ，３２ｃの前端部と嵌合可能なボス５３ｂ，５３ｃ（支軸３２ａに嵌合するボスは図示せず）が突設されている。
【００２５】
タッチ検出装置４１の検出回路基板４２の接点５４には、２本のリード線５５，５６がネジで接続されている。リード線５５はバネ支軸４７の中空部を通り、バネ支軸４７の前端部に形成された切欠部５７からプレート４５上の接続端子５８にネジで接続されており、これにより、回動レバー２８と検出回路基板４２とが電気的に接続されている。したがって、遊技者が回動レバー２８に接触すると、タッチ検出装置４１を介して前記打球駆動部に検出信号が送出され、遊技球が発射されるようになっている。一方、リード線５６は、ハンドル軸２５内を通って後方に配線され、アース線として使用される。
【００２６】
図８〜図１１によく示されているように、ハンドル軸２５は、軸方向に沿って、上側ケーシング部材６１と下側ケーシング部材６２とに２分割されており、上側ケーシング部材６１及び下側ケーシング部材６２の各両側縁部にはそれぞれ係合部７７，７８が形成されている。そして、下側ケーシング部材６２に対して上側ケーシング部材６１を軸方向にスライドさせ、この係合部７７，７８同士を係合させることにより、上側ケーシング部材６１と下側ケーシング部材６２とが結合され、ハンドル軸２５が円筒状に形成されるようになっている。
【００２７】
上側ケーシング部材６１の内周面には軸方向に沿って細長円筒状の取付孔部６３が形成されており、また、上側ケーシング部材６１の後端部には半円板状の端子押え部６４が形成されている。
【００２８】
一方、下側ケーシング部材６２には、ハンドル軸係合部６５が形成されており、ネジ孔８２を介してハンドル軸係合部６５をグリップ部係合部３４にネジ止めすることにより、グリップ部２６がハンドル軸２５に固定されるようになっている（図１２参照）。そして、下側ケーシング部材６２の内周面には、上側ケーシング部材６１の取付孔部６３に対向する位置に細長円筒状の取付孔部６６が軸方向に沿って形成されていると共に、所要箇所（図示では２箇所）に配線集合フック６７が設けられている。また、下側ケーシング部材６２の後端部には、左右に、いずれも半円板状の第１端子受け部６８及び第２端子受け部６９が形成されていると共に左右いずれか一方（図１２の背面視右側）の端子受け部６９の後方には半円板状の端子押え部７０が形成されている。さらに、下側ケーシング部材６２の後端部の下端中央部には、ハンドル軸挿通部２０のガイド凸部に係合可能なガイド凹部７１が形成されており、このガイド凹部７１の前端には段差部７９が形成されている（図１１参照）。
【００２９】
中継端子板２２は、図８によく示されているように、下側が切り欠かれた略円板状の基板７２と、基板７２の表面に取り付けられた各種コネクタ７３とを備えており、各種コネクタ７３には球送り装置２４や作動スイッチ３７等の電子部品用のコネクタケーブル４０が接続されるようになっている。そして、基板７２の外周部には、上側ケーシング部材６１の取付孔部６３と下側ケーシング部材６２の取付孔部６６及び端子押え部７０に対応する位置にそれぞれ第１〜第３切欠部７４，７５，７６が形成されており、第１〜第３切欠部７４，７５，７６は取付孔部６３，６６及び端子押え部７０より若干大きく形成されている。
【００３０】
板金２３には、図３及び図５に示されているように、矩形状の開口部８０が形成されており、開口部８０は、当て板１４の後面側から中継端子板２２の各種コネクタ７３にアクセス可能且つハンドル軸２５の後端面に当接可能なように形成されている。そして、開口部８０の周囲には取付孔部６３，６６に対応する位置にネジ孔（図示せず）が穿設されており、該ネジ孔にネジを螺入することにより、板金２３が発射ハンドル１５に固定されるようになっている。
【００３１】
次に、本実施の形態に係る打球発射装置２１を当て板１４に取り付ける手順について説明する。
【００３２】
先ず、グリップベース２７の嵌合部３０に回動レバー２８の周壁部４３を嵌合すると共に回動レバー２８の嵌合部５９にキャップ体２９の周壁部５２を嵌合し、発射ハンドル１５のグリップ部２６を組み立てる。そして、グリップ部２６のグリップ部係合部３４をハンドル軸係合部６５と係合させてビス止めし、下側ケーシング部材６２をグリップ部２６の後端部に固定し、コネクタケーブル４０を配線集合フック６７に集合、掛止させる。
【００３３】
次いで、下側ケーシング部材６２の取付孔部６６及び端子押え部７０に中継端子板２２の第２及び第３切欠部７５，７６を係合し、基板７２の裏面を第１端子受け部６８に当接させた状態で中継端子板２２を背面視反時計回りに回転させる。そうすると、第２切欠部７５が取付孔部６６の外周壁に当接し、基板７２の外周部は第２端子受け部６９と端子押え部７０に挟持される。
【００３４】
次いで、上側ケーシング部材６１の取付孔部６３を中継端子板２２の第１切欠部７４に係合させると共に係合部７７，７８同士を係合させ、下側ケーシング部材６２に対して上側ケーシング部材６１を軸方向前方にスライドさせ、端子押え部６４を基板７２の表面外周部に当接させる。これにより、中継端子板２２は、第１端子受け部６８及び第２端子受け部６９により前方への動きを規制されると共に端子押え部６４及び７０により後方への動きを規制され、さらに、第１切欠部７４及び第２切欠部７５がそれぞれ取付孔部６３及び６６に係合することにより回転が規制されるため、中継端子板２２はハンドル軸２５の後端部に確実に固定される。そして、その後、グリップ部２６内の各種電子部品用のコネクタケーブル４０を中継端子板２２の各コネクタ７３にそれぞれ接続させ、発射ハンドル１５を組み立てる。
【００３５】
このように発射ハンドル１５を組み立てた後、ハンドル軸２５の後端部を当て板１４のハンドル軸挿通部２０に挿入し、ガイド凹部７１に前記ガイド凸部を係合させる。そうすると、発射ハンドル１５の回転が規制されると共に、ガイド凹部７１の段差部７９に前記ガイド凸部の先端が当接することにより、発射ハンドル１５の前方への移動が規制され、発射ハンドル１５は当て板１４に仮止めされた状態になる。
【００３６】
そして、この状態で、板金２３がハンドル軸２５の後端面に当接すると共に各コネクタ７３が開口部８０に遊嵌するように、各取付孔部６３，６６に板金２３の前記ネジ孔を整合させ、板金２３の後方から前記ネジ孔にネジを螺入し、板金２３をハンドル軸２５に固定する。さらに、当て板１４の板金取付部１９において後方から前記取付孔にネジを螺入し、板金２３を当て板１４に固定する。その結果、発射ハンドル１５は板金２３を介して当て板１４に固定される。
【００３７】
上記したように、本実施の形態によれば、配線集合フック６７にコネクタケーブル４０が集合されるようになっており、ハンドル軸２５の後端から各コネクタケーブル４０がバラバラに飛び出したりすることがないため、ハンドル軸２５を当て板１４に取り付ける時に、コネクタケーブル４０が当て板１４とハンドル軸２５との間に挟まれ、損傷或いは断線するのを防止することができる。さらに、ハンドル軸２５を当て板１４に取り付ける時には、コネクタケーブル４０を、その先端がハンドル軸２５の後端から僅かに飛び出るように配線集合フック６７に引っ掛けると共にハンドル軸２５内に弛ませておき、ハンドル軸２５を当て板１４に取り付けた後にコネクタケーブル４０の先端を引っ張るようにすれば、上記した効果を一層高めることができる。
【００３８】
また、ハンドル軸２５は上側ケーシング部材６１と下側ケーシング部材６２により構成されており、上側ケーシング部材６１を取り付ける前の下側ケーシング部材６２の上方が開放された状態において、コネクタケーブル４０を配線集合フック６７に集合、掛止させることができるため、ハンドル軸２５に対するコネクタケーブル４０の挿通作業を容易に行うことができる。
【００３９】
さらに、端子押え部６４，７０、第１及び第２端子受け部６８，６９から成る中継端子板取付部に中継端子板２２が取り付けられ、グリップ部２６内の電子部品がコネクタケーブル４０を介してその中継端子板２２に接続されるようになっているため、ハンドル軸２５の取付作業中に、ハンドル軸２５の後端から飛び出したコネクタケーブル４０がハンドル軸挿通部２０とハンドル軸２５との間に挟まれ、損傷或いは断線するのを防止することができる。
【００４０】
さらに、ハンドル軸２５の後端部に中継端子板取付部が設けられており、当て板１４に中継端子板取付部を設ける必要がないため、当て板１４の設計の自由度を広げることができる。
【００４１】
さらにまた、中継端子板２２は、治具を使用することなく、ハンドル軸２５の後端の中継端子取付部に固定することができるため、その取付作業は簡素化される。
【００４２】
なお、上記した実施の形態において、発射ハンドル１５は、球皿１３の当て板１４に固定されるようになっているが、前枠３等、他の基体に固定されるように構成されていてもよい。
【００４３】
また、上記した実施の形態では、ハンドル軸２５は、上側ケーシング部材６１と下側ケーシング部材６２の２部材から構成されているが、３個以上の部材から構成されていてもよい。
【００４４】
さらに、配線集合フック６７は上側ケーシング部材６１に設けられていてもよく、その場合には、グリップ部２６に上側ケーシング部材６１を固定した後に、下側ケーシング部材が取り付けられるように構成される。
【００４５】
さらに、前記中継端子板取付部の設置位置はハンドル軸２５に限定されるものではなく、当て板１４の後面の球送り装置２４近傍等、他の部位であってもよい。
【００４６】
さらに、板金２３を設置せずに、ハンドル軸２５を直接、当て板１４等の基体に取り付けるように構成してもよい。
【００４７】
さらにまた、上記した実施の形態では、本発明をパチンコ遊技機に適用した場合について説明したが、これは単なる例示に過ぎず、本発明は、アレンジボール遊技機や雀球遊技機等、他の弾球遊技機にも適用可能であることは言う迄もない。
【図面の簡単な説明】
【００４８】
【図１】本発明の実施の形態におけるパチンコ遊技機を示す正面図である。
【図２】本発明の実施の形態におけるパチンコ遊技機を示す背面図である。
【図３】本発明の実施の形態に係るパチンコ遊技機の打球発射装置のハンドル軸を球皿に取り付けた状態を示す背面図である。
【図４】本発明の実施の形態に係るパチンコ遊技機の打球発射装置のハンドル軸を球皿に取り付けた状態を拡大して示す背面図である。
【図５】本発明の実施の形態に係るパチンコ遊技機の打球発射装置を示す球皿の側面図である。
【図６】本発明の実施の形態における発射ハンドルを示す分解斜視図である。
【図７】本発明の実施の形態におけるキャップ体を外した状態の発射ハンドルを示す正面図である。
【図８】本発明の実施の形態における中継端子板を取り付ける前の状態の発射ハンドルを示す背面図である。
【図９】本発明の実施の形態における中継端子板を取り付けた状態の発射ハンドルを示す背面図である。
【図１０】本発明の実施の形態における発射ハンドルを示す背面側断面図である。
【図１１】本発明の実施の形態において、発射ハンドルを示す側断面図である。
【図１２】本発明の実施の形態における発射ハンドルのハンドル軸の下側ケーシング部材を示す平面図である。
【符号の説明】
【００４９】
１          パチンコ遊技機
３          前枠
６          遊技盤
１１        遊技領域
１５        発射ハンドル
２１        打球発射装置
２２        中継端子板
２５        ハンドル軸
２６        グリップ部
３７        作動スイッチ
４０        コネクタケーブル
６１        上側ケーシング部材
６２        下側ケーシング部材
６４        端子押え部
６７        配線集合フック
６８        第１端子受け部
６９        第２端子受け部
７０        端子押え部
【図１】
2005342151.tif 000003
【図２】
2005342151.tif 000004
【図３】
2005342151.tif 000005
【図４】
2005342151.tif 000006
【図５】
2005342151.tif 000007
【図６】
2005342151.tif 000008
【図７】
2005342151.tif 000009
【図８】
2005342151.tif 000010
【図９】
2005342151.tif 000011
【図１０】
2005342151.tif 000012
【図１１】
2005342151.tif 000013
【図１２】
2005342151.tif 000014